(57)【要約】      （修正有）【課題】異常が生じた際に、信号形式を適切に切り替えることで通話の信頼性を向上することができる通信装置を提供する。【解決手段】通信装置を、第１の通信手段１と、第２の通信手段２と、異常検知手段３と、制御手段４を備える構成とする。第１の通信手段１は、パルス信号と、トーン信号のうち、電話機が発信する信号に基づいて電話機と通信する。第２の通信手段２は、電話機を通信網と接続する。異常検知手段３は、電話機がパルス信号を発信した際に、パルス信号の異常の有無を監視し、監視結果に基づいてパルス信号による通信の可否を判断する。制御手段４は、異常検知手段３がパルス信号による通信が不可と判断したときに、トーン信号に切り替える要求を電話機に送信する。【選択図】図１
2018056899.tif 000002
【特許請求の範囲】
【請求項１】
パルス信号と、トーン信号のうち、電話機が発信する信号に基づいて前記電話機と通信する第１の通信手段と、
前記電話機を電話網と接続する第２の通信手段と、
前記電話機がパルス信号を発信した際に、前記パルス信号の異常の有無を監視し、監視結果に基づいて前記パルス信号による通信の可否を判断する異常検知手段と、
前記異常検知手段が前記パルス信号による通信が不可と判断したときに、前記トーン信号に切り替える要求を前記電話機に送信する制御手段と、
を備えることを特徴とする通信装置。
【請求項２】
前記異常検知手段は、前記電話機から送られてくる前記パルス信号を監視して、前記異常の回数を計数し、所定の時間内に検出した前記異常の回数があらかじめ設定された基準を超えたときに、前記パルス信号による通信が不可と判断することを特徴とする請求項１に記載の通信装置。
【請求項３】
前記異常検知手段は、前記パルス信号があらかじめ設定された規格を満たさない場合に、前記パルス信号に前記異常が生じているとして前記異常の回数の計数を行うことを特徴とする請求項２に記載の通信装置。
【請求項４】
前記第２の通信手段を介して前記電話機を電話網と接続する際に、接続先からの応答信号を得られなかったときに前記パルス信号による通信が不可と判断する通信可否判断手段をさらに備え、
前記制御手段は、前記通信可否判断手段が前記パルス信号による通信が不可と判断したときに、前記トーン信号に切り替える要求を前記電話機に送信することを特徴とする請求項１から３いずれかに記載の通信装置。
【請求項５】
前記異常検知手段が前記パルス信号による通信が不可と判断したときに、
前記制御手段は、前記電話機から送られてくる前記パルス信号の検出を行わないように制御することを特徴とする請求項１から４いずれかに記載の通信装置。
【請求項６】
前記制御手段は、前記トーン信号に切り替える要求を音声データとして前記電話機に送信することを特徴とする請求項１から５いずれかに記載の通信装置。
【請求項７】
電話機が発信したパルス信号を受信した際に、前記パルス信号の異常の有無を監視し、
前記パルス信号の異常を検知したときに、前記電話機にトーン信号に切り替える要求を送信し、
前記トーン信号で発信を行う前記電話機を電話網と接続することを特徴とする通信制御方法。
【請求項８】
前記電話機から送られてくる前記パルス信号を監視して、前記異常の回数を計数し、
所定の時間内に検出した前記異常の回数があらかじめ設定された基準を超えたときに、前記パルス信号による通信が不可と判断することを特徴とする請求項７に記載の通信制御方法。
【請求項９】
前記電話機を電話網と接続する際に、接続先からの応答信号が得られなかったときに前記パルス信号による通信が不可と判断し、
前記トーン信号に切り替える要求を前記電話機に送信することを特徴とする請求項７に記載の通信制御方法。
【請求項１０】
前記パルス信号による通信が不可と判断したときに、
前記電話機から送られてくる前記パルス信号の検出を行わないように制御することを特徴とする請求項７から９いずれかに記載の通信制御方法。
【発明の詳細な説明】
【技術分野】
【０００１】
本発明は、電話機からの発信動作に関するものであり、特に、異常が生じた際の制御技術に関するものである。
【背景技術】
【０００２】
家庭や小規模オフィスなどでも外部のネットワークと通信を行う情報処理装置や電子機器が広く用いられるようになっている。それらの情報処理装置等は、ＨＧＷ（Home Gateway）のような通信装置を介して外部のネットワークと接続されることが多い。また、ＨＧＷには、情報処理装置等の他に電話機が接続され、ＨＧＷが電話機と基地局との間の通信の制御を行う。電話機は、例えば、ダイヤルパルスまたはＤＴＭＦ（Dual Tone Multi Frequency）の信号を送信することで発信や通話の動作を行う。ＨＧＷは、電話機の回線種別、すなわち、ダイヤルパルスかＤＴＭＦを判断して、判断した回線種別に基づいて通信の制御を行う。
【０００３】
電話機がダイヤルパルスを使用している際に、回線のノイズやパルス発生器の不具合によってダイヤルパルスに異常が生じると、ＨＧＷが正しく電話番号を識別できないことがある。ＨＧＷが電話番号を誤って識別した場合には、誤った識別した電話番号への誤発信が生じ、通話動作の信頼性が低下する。
【０００４】
誤発信等が生じた際に、利用者は、原因を特定し電話機の設定の変更等を行う必要がある。しかし、知識が十分ではない利用者が原因を特定して対応するのは困難なことが多く、不具合が生じた際の問題解決に長い時間を要する恐れがある。そのため、回線に異常が生じた際に、信号形式の切り替えを行うことで発信動作の信頼性を向上できる技術があることが望ましく、関連する技術の開発が行われている。そのような、回線に異常が生じた際に、信号形式の切り替えを行う技術としては、例えば、特許文献１のような技術が開示されている。
【０００５】
特許文献１は、電話機やメータなどが接続された端末側の制御装置に関するものである。特許文献１の制御装置は、電話機の回線種別を判別する機能を有する。特許文献１の制御装置は、電話機から送られてくる信号から判別した回線種別に基づいて基地局への発呼を行う。特許文献１の制御装置は、発呼を行った際に応答信号が得られず基地局への接続が失敗した際に、失敗した数をカウントしている。特許文献１の制御装置は、失敗した数が所定の回数を超えたとき、判別した回線種別とは異なる回線種別で基地局への発呼を行う。特許文献１は、そのような構成とすることで、基地局との接続を継続的に行うことができるとしている。
【先行技術文献】
【特許文献】
【０００６】
【特許文献１】特開２０１０−６２６５７号公報
【発明の概要】
【発明が解決しようとする課題】
【０００７】
しかしながら、特許文献１の技術は次のような点で十分ではない。特許文献１の制御装置は、基地局に発呼した際に応答を得られなかった回数をカウントし、所定の回数を超えた回線に異常があると判断している。すなわち、特許文献１の技術は、発信を繰り返した後に応答を得られなかった回数をカウントすることで異常の有無を判断している。よって、特許文献１の技術では、電話機側は、異常と判断されるまでの間、信号形式の切り替えを行わずに発信動作を続ける。制御装置が信号を誤検出した場合に発信を継続すると、間違って認識された情報によって接続が確立され、間違い電話等が生じる恐れがある。そのため、特許文献１の技術は、異常が生じた際に、信号形式を適切に切り替えることで信頼性を向上するための技術としては十分ではない。
【０００８】
本発明は、上記の課題を解決するため、異常が生じた際に、信号形式を適切に切り替えることで通話の信頼性を向上することができる通信装置を得ることを目的としている。
【課題を解決するための手段】
【０００９】
上記の課題を解決するため、本発明の通信装置は、第１の通信手段と、第２の通信手段と、異常検知手段と、制御手段を備えている。第１の通信手段は、パルス信号と、トーン信号のうち、電話機が発信する信号に基づいて電話機と通信する。第２の通信手段は、電話機を通信網と接続する。異常検知手段は、電話機がパルス信号を発信した際に、パルス信号の異常の有無を監視し、監視結果に基づいてパルス信号による通信の可否を判断する。制御手段は、異常検知手段がパルス信号による通信が不可と判断したときに、トーン信号に切り替える要求を電話機に送信する。
【００１０】
本発明の通信制御方法は、電話機が発信したパルス信号を受信した際に、パルス信号の異常の有無を監視する。本発明の通信制御方法は、パルス信号の異常を検知したときに、電話機にトーン信号に切り替える要求を送信する。本発明の通信制御方法は、第２の形式の信号で発信を行う電話機を電話網と接続する。
【発明の効果】
【００１１】
本発明によると、異常が生じた際に、信号形式を適切に切り替えることで通話の信頼性が向上する。
【図面の簡単な説明】
【００１２】
【図１】本発明の第１の実施形態の構成の概要を示す図である。
【図２】本発明の第２の実施形態の構成の概要を示す図である。
【図３】本発明の第２の実施形態の装置構成を示す図である。
【図４】電話機の回線等に異常が生じた際の信号の例を示す図である。
【図５】電話機の回線等に異常が生じた際の信号の例を示す図である。
【図６】電話機の回線等に異常が生じた際の信号の例を示す図である。
【図７】本発明の第２の実施形態における動作フローを示す図である。
【図８】本発明の第２の実施形態において異常が生じた際の動作を模式的に示した図である。
【図９】本発明の第３の実施形態の構成の概要を示す図である。
【図１０】本発明の第３の実施形態の装置構成を示す図である。
【図１１】本発明の第３の実施形態における動作フローを示す図である。
【図１２】本発明の第３の実施形態における動作フローを示す図である。
【発明を実施するための形態】
【００１３】
（第１の実施形態）
本発明の第１の実施形態について図を参照して詳細に説明する。図１は、本実施形態の通信装置の構成の概要を示したものである。本実施形態の通信装置は、第１の通信手段１と、第２の通信手段２と、異常検知手段３と、制御手段４を備えている。第１の通信手段１は、パルス信号と、トーン信号のうち、電話機が発信する信号に基づいて電話機と通信する。第２の通信手段２は、電話機を通信網と接続する。異常検知手段３は、電話機がパルス信号を発信した際に、パルス信号の異常の有無を監視し、監視結果に基づいてパルス信号による通信の可否を判断する。制御手段４は、異常検知手段３がパルス信号による通信が不可と判断したときに、トーン信号に切り替える要求を電話機に送信する。
【００１４】
本実施形態の通信装置は、異常検知手段３において、電話機から発信されるパルス信号の異常の有無を監視し、監視結果に基づいてパルス信号による通信の可否を判断している。また、本実施形態の通信装置は、パルス信号による通信が不可と判断したときに、制御手段４においてトーン信号に切り替える要求を電話機に送信している。そのため、パルス信号が正常に認識できないような異常が生じている際に、電話機側では、トーン信号へ切り替える必要性を認識することができる。電話機側でトーン信号へ切り替える必要性を認識し、トーン信号の発信に切り替えを行うことで、誤発信等を防止することができる。その結果、本実施形態の通信装置を用いることで、異常が生じた際に、信号形式を適切に切り替えることで通話の信頼性が向上する。
【００１５】
（第２の実施形態）
本発明の第２の実施形態について図を参照して詳細に説明する。図２は、本実施形態の電話システムの構成の概要を示したものである。本実施形態の電話システムは、ＨＧＷ（Home Gateway）１０と、電話機２０を備えている。
【００１６】
本実施形態の電話機２０は、ダイヤルパルスおよびＤＴＭＦ（Dual Tone Multi Frequency）方式の信号を発信する機能を有する。ダイヤルパルスおよびＤＴＭＦ方式の信号は、それぞれパルス信号およびトーン信号とも呼ばれる。また、ＨＧＷ１０は、電話網６０に接続されている。電話機２０は、ＨＧＷ１０を介して、電話網６０上の基地局と接続され、電話機２０の利用者は、他の電話機の利用者と通話を行う。ＨＧＷ１０には、電話機２０の他に、情報処理装置、通信装置、電子機器および計測機器などがさらに接続され、外部のネットワークとの通信が行われていてもよい。
【００１７】
ＨＧＷ１０の構成について説明する。図３は、本実施形態のＨＧＷ１０の構成を示している。本実施形態のＨＧＷ１０は、制御部１１と、記憶部１２と、電話機インターフェース部１３と、通信インターフェース部１４を備えている。
【００１８】
制御部１１は、ＨＧＷ１０の制御全般を行う機能を有する。制御部１１は、記憶部制御部１５と、電話機制御部１６と、変換判定部１７をさらに備えている。
【００１９】
記憶部制御部１５は、ＨＧＷ１０が通信の制御を行う際に用いる各設定情報の記憶部１２への書き込みおよび読み出しを行う。また、記憶部制御部１５は、記憶部１２の規格外パルス数記憶部１８に規格外パルスの検出数の情報の書き込みおよび読み出しを行う。
【００２０】
電話機制御部１６は、発信、着信、保留および切断等の電話機２０の通話に関する動作の制御を行う。また、電話機制御部１６は、規格外パルスの検出、ガイダンス音声の電話機２０への送信および電話番号の検出等の制御を行う。また、電話機制御部１６は、電話機２０から送られてくる信号を基に回線種別を判断し、回線種別に基づいて通話の制御を行う。
【００２１】
電話機制御部１６は、電話機２０から電話機インターフェース部１３に入力されるダイヤルパルスが正常であるかの監視を行う。電話機制御部１６は、規格外パルスを検出すると所定の時間の規格外パルスの数をカウントする。所定の時間は、電話機２０のパルス発生器や回線の異常を判断するために適切な時間となるようにあらかじめ設定されている。電話機制御部１６は、検出された規格外パルスの数を、記憶部制御部１５を介して記憶部１２の規格外パルス数記憶部１８に保存する。また、本実施形態の電話機制御部１６は、第１の実施形態の制御手段４に相当する。
【００２２】
規格外パルスについて説明する。ダイヤルパルスの規格は、例えば、次のように設定されている。１０パルス毎秒方式のダイヤルパルスの規格は、ダイヤルパルス速度が１０±１．０パルス毎秒以内、ダイヤルパルスメーク率が３０パーセント以上、４２パーセント以下、ミニマムポーズ６００ｍｓ以上として設定されている。また、２０パルス毎秒方式のダイヤルパルスの規格は、ダイヤルパルス速度が２０±１．６パルス毎秒以内、ダイヤルパルスメーク率が３０パーセント以上、３６パーセント以下、ミニマムポーズ４５０ｍｓ以上として設定されている。規格外パルスとは、このように設定されたダイヤルパルスの規格を満たさないダイヤルパルスのことをいう。
【００２３】
図４は、ダイヤルパルスメーク率違反の例を示したものである。図４の（１）は、中央のダイヤルパルスの幅が短く、ダイヤルパルスメーク率の規格の下限を下回っている場合を示している。また、図４の（２）は、中央のダイヤルパルスの幅が長く、ダイヤルパルスメーク率の規格の上限を上回っている場合を示している。
【００２４】
図５は、ダイヤルパルス速度違反の例と、ミニマムポーズ違反の例を示している。図５の上段のダイヤルパルス速度違反の例は、１秒以内に１２パルス発生し、ダイヤルパルス速度が１０±１．０パルス毎秒以内と定められた１０パルス毎秒方式の規格から外れている場合を示している。また、図５の下段のミニマムポーズ違反の例は６００ｍｓ未満の間隔しかなく、ミニマムポーズが６００ｍｓ以上と定められた１０パルス毎秒方式の規格から外れている場合を示している。図４および図５に示すようなダイヤルパルスの異常が生じると、ＨＧＷ１０が信号を誤検出する恐れがある。
【００２５】
図６は、ＨＧＷ１０におけるダイヤルパルスの誤検出の例を示したものである。図６の（１）は、左側の中央部のパルスが規格外として検出されず、左側に示す入力信号と、右側に示す検出される信号が異なっている場合を示している。すなわち、図６の（１）は、３つのパルスを送信したが、規格外パルスとして除外されることで、意図した数よりも少ない２つのパルスとして検出されている例を示している。
【００２６】
図６の（２）は、左側に示すようなノイズが入力信号に生じている際に、右側に示すようにノイズがパルスとして検出されている場合を示している。
【００２７】
図６の（３）は、左側に示す入力信号では４つのパルスの後、ポーズをおき、２つのパルスが入力されているのに対し、右側の検出信号では、ポーズを正常に検出できずに６つの連続したパルス列として検出されている例を示している。ＨＧＷ１０においてこのようなパルスの誤検出が生じた場合には、電話機２０から発信された電話番号の誤認識によって、誤発信が生じる恐れがある。
【００２８】
変換判定部１７は、ダイヤルパルスからＤＴＭＦへの変換が必要であるかを判断する。変換判定部１７は、規格外パルス数記憶部１８に保存されている規格外パルスの検出数の情報を読み出す。変換判定部１７は、読み出した規格外パルスの検出数と閾値を比較して、検出数が閾値よりも大きいときＤＴＭＦへの変換が必要であると判断する。ＤＴＭＦへの変換を判断する際の規格外パルスの検出数の基準値としての閾値は、あらかじめ設定されている。変換判定部１７は、ＤＴＭＦへの変換が必要と判断すると、ダイヤルパルスからＤＴＭＦへの変換を要求するガイダンスの送信を電話機制御部１６に要求する。また、本実施形態の変換判定部１７は、第１の実施形態の異常検知手段３に相当する。
【００２９】
記憶部１２は、ＨＧＷ１０で使用される設定情報等を保存する機能を有する。記憶部１２は、規格外パルス数記憶部１８をさらに備えている。規格外パルス数記憶部１８は、電話機制御部１６が規格外パルスを検出した数を保存している。規格外パルスを検出した数は、記憶部制御部１５によって規格外パルス数記憶部１８に保存される。記憶部１２は、例えば、不揮発性の半導体記憶装置によって構成されている。
【００３０】
電話機インターフェース部１３は、電話機２０との間で信号の送受信を行うインターフェースである。本実施形態の電話機インターフェース部１３は、第１の実施形態の第１の通信手段１に相当する。
【００３１】
通信インターフェース部１４は、電話網６０との間で信号の送受信を行うインターフェースである。本実施形態の通信インターフェース部１４は、第１の実施形態の第２の通信手段２に相当する。
【００３２】
電話機２０は、ＨＧＷ１０を介して通信回線に接続し、他の電話機と通話を行う機能を有する。本実施形態の電話機２０は、ダイヤルパルスおよびＤＴＭＦ方式の信号を発信する機能を有する。電話機２０は、ダイヤルパルスとＤＴＭＦのうち、利用者によって選択され、電話機２０に設定されている方式の信号を発信する。
【００３３】
電話網６０は、基地局と加入者の自宅や事業所等を接続する通信網である。電話網６０は、光ファイバ等の有線回線、無線回線、または、それらの組み合わせによって構成されている。
【００３４】
本実施形態の電話システムの動作について説明する。図７は、本実施形態の電話システムの動作フローを示したシーケンス図である。通常時、電話機２０からダイヤルパルスによる信号に基づいて発信動作が行われているとして、以下の説明を行う。
【００３５】
利用者は、電話機２０を使用する際に受話器のオフフックを行う（ステップ１０１）。受話器がオフフックされると電話機２０からの信号の送信が開始され、ＨＧＷ１０の電話機制御部１６は、入力される信号の監視を行いダイヤルパルスの検出を開始する（ステップ１０２）。
【００３６】
このとき、電話機２０からＨＧＷ１０に規格外パルスが入力されると（ステップ１０３）、電話機制御部１６は、規格外パルスの検出を開始する（ステップ１０４）。図７は、ステップ１０５からステップ１０６で複数の規格外パルスが電話機２０からＨＧＷ１０に送信された場合を示している。
【００３７】
電話機制御部１６は、規格外パルスを検出すると、所定の時間内に検出される規格外パルスの数をカウントする。所定の時間内に検出される規格外パルスの数をカウントすると、電話機制御部１６は、検出された規格外パルスの数のデータを記憶部制御部１５に送る。記憶部制御部１５は、規格外パルスの数のデータを受け取ると、受け取ったデータを規格外パルス数記憶部１８に保存する。
【００３８】
規格外パルスの数のデータが保存されると、変換判定部１７は、所定の時間にカウントされた規格外パルスの数を閾値と比較する。
【００３９】
規格外パルスの数が閾値以上であるとき（ステップ１０７）、変換判定部１７は、ダイヤルパルスからＤＴＭＦへの変換が必要と判断する。ＤＴＭＦへの変換が必要と判断すると、変換判定部１７は、ＤＴＭＦへの変換を要求する情報の送信命令を電話機制御部１６に送る。
【００４０】
電話機制御部１６は、ＤＴＭＦへの変換を要求する情報の送信命令を受け取ると、電話機２０にＤＴＭＦへの変換を要求する通知として、変換を要求するガイダンスの音声データを送る（ステップ１０８）。電話機制御部１６は、ＤＴＭＦへの変換を要求するガイダンスの音声データを記憶部１２から読み出して送信する。
【００４１】
ＤＴＭＦへの変換を要求するガイダンスの音声データが電話機２０に送られると、電話機２０からＤＴＭＦへの変換を要求するガイダンスが送出され、利用者にＤＴＭＦへの変換を要求する情報が伝達される。
【００４２】
ガイダンスを聞いた利用者は、スイッチ操作等によって、電話機２０の設定をダイヤルパルスからＤＴＭＦに変換する（ステップ１０９）。ＤＴＭＦに変換後に、利用者は、電話機２０を再度、オフフックする（ステップ１１０）。利用者が電話機２０をオフフックしてダイヤルすると、電話機２０は、ＤＴＭＦによってダイヤルを行い、ＤＴＭＦ基づく信号を送信する（ステップ１１１）。ＤＴＭＦに切り替えて、再度、発信動作が行われることで、ＨＧＷ１０は、電話機２０から送られてくる電話番号を正常に識別し、電話機２０と電話網６０上の基地局の交換機との接続を確立することができる。
【００４３】
ステップ１０７において、規格外パルスの数が閾値未満であったとき、電話機制御部１６は、電話機２０から入力されるダイヤルパルスの監視を行いながら通常の通話に関する制御を行う。また、変換判定部１７がＤＴＭＦへの変換が必要と判断したとき、誤発信を抑制するため、電話機制御部１６は、ダイヤルパルスの検出処理を停止するようにしてもよい。
【００４４】
図８は、本実施形態の電話システムにおける規格外パルスの検出と、ダイヤルパルスからＤＴＭＦへの変換の通知の動作を模式的に示したものである。図８の（１）は、電話機２０からＨＧＷ１０に規格外パルスが複数回、送信されている例を示している。また、図８の（２）は、ＨＧＷ１０が所定の時間内に、基準回数以上、すなわち、閾値以上の数の規格外パルスを検出した場合に、電話機２０にダイヤルパルスからＤＴＭＦに変換する通知を送る例を示している。このように、ＨＧＷ１０で複数の規格外パルスを検出したときに、電話機２０にダイヤルパルスからＤＴＭＦに変換する通知を送信して回線種別の切り替えを行って正常な信号形式への切り替えを行うことで、正常な通話動作を行うことができる。
【００４５】
本実施形態の電話システムは、ＨＧＷ１０の電話機制御部１６が電話機２０から入力されるダイヤルパルスが規格を満たしているかを監視している。電話機制御部１６は、規格外のダイヤルパルスを検出した際に、所定の時間内の規格外のダイヤルパルスの検出数をカウントしている。所定の時間内の規格外のダイヤルパルスの検出数が閾値を超えているとき、変換判定部１７は、ダイヤルパルスからＤＴＭＦへの変換が必要と判断する。変換判定部１７によってＤＴＭＦへの変換が必要と判定されたとき、電話機制御部１６は、電話機２０にダイヤルパルスからＤＴＭＦに変換する通知を送っている。このように、電話機制御部１６は、電話機２０にダイヤルパルスからＤＴＭＦに変換する通知を送ることで、電話機２０側において、利用者は、ダイヤルパルスの信号に異常が生じていることを認識し、ＤＴＭＦに電話機２０の回線種別を切り替えることができる。また、利用者は、ガイダンスを聞いて切り替えの動作を行えばよいため、十分な知識がなくても対応することができる。そのため、ダイヤルパルスからＤＴＭＦへの切り替えに要する時間を短縮することが可能になる。
【００４６】
本実施形態の電話システムでは、規格外のダイヤルパルスの検出によって回線種別の切り替えを行っているので、異常が生じた際に、ダイヤルパルスの信号形式のまま、ＨＧＷ１０から電話網６０への発信が継続されることを抑制することができる。そのため、電話機２０から入力されるダイヤルパルスの誤検出によって、間違った電話番号を認識し、ＨＧＷ１０が誤発信を行う状態を抑制することができる。その結果、本実施形態の電話システムは、信頼性が向上する。以上より、本実施形態の電話システムは、異常が生じた際に、信号形式を適切に切り替えることで通話の信頼性が向上する。
【００４７】
（第３の実施形態）
本発明の第３の実施形態について図を参照して詳細に説明する。図９は、本実施形態の電話システムの構成の概要を示したものである。本実施形態の電話システムは、ＨＧＷ３０と、電話機２０を備えている。また、ＨＧＷ３０は、電話網６０を介してＳＩＰ（Session Initiation Protocol）サーバ５０と通信を行う。ＨＧＷ３０には、第２の実施形態と同様に、情報処理装置等がさらに接続されていてもよい。
【００４８】
第２の実施形態の電話システムでは、ＨＧＷ１０は、電話機２０から送られてくるダイヤルパルスを監視し、所定の時間内に閾値以上の規格外パルスを検出した際に、ＤＴＭＦへ切り替えを行っていた。本実施形態のＨＧＷ３０は、そのような構成に加えて、ＳＩＰサーバ５０への正常な発信動作が行えなかったときも、ダイヤルパルスからＤＴＭＦへの切り替えを行うことを特徴とする。
【００４９】
本実施形態の電話機２０および電話網６０の構成と機能は、第２の実施形態とそれぞれ同様である。
【００５０】
ＨＧＷ３０の構成について説明する。図１０は、本実施形態のＨＧＷ３０の構成について示したものである。本実施形態のＨＧＷ３０は、制御部３１と、記憶部３２と、電話機インターフェース部３３と、通信インターフェース部３４を備えている。
【００５１】
本実施形態の電話機インターフェース部３３および通信インターフェース部３４の構成と機能は、第２の実施形態の同名称の部位とそれぞれ同様である。
【００５２】
制御部３１は、ＨＧＷ３０の制御全般を行う機能を有する。制御部３１は、記憶部制御部３５と、電話機制御部３６と、変換判定部３７と、電話網監視部３８をさらに備えている。
【００５３】
記憶部制御部３５は、第２の実施形態の記憶部制御部１５と同様の機能を有する。また、記憶部制御部３５は、記憶部３２の未登録発信数記憶部４０の未登録番号への発信数の情報の書き込みおよび読み出しを行う。
【００５４】
電話機制御部３６は、第２の実施形態の電話機制御部１６と同様の機能を有する。すなわち、電話機制御部３６は、発信、着信、保留、切断および電話番号の検出等の電話機２０の通話に関する動作の制御を行う。電話機制御部３６は、発信動作を行う際に発信先の電話番号等を含む情報を「ＩＮＶＩＴＥ」としてＳＩＰサーバ５０に送信する。また、電話機制御部３６は、規格外パルスの検出、ガイダンス音声の電話機２０への送信および電話番号の検出等の制御を行う。
【００５５】
変換判定部３７は、第２の実施形態の変換判定部１７と同様の機能を有する。さらに、本実施形態の変換判定部３７は、未登録番号への発信数を基に、ダイヤルパルスからＤＴＭＦへの変換が必要であるかを判断する。変換判定部３７は、未登録発信数記憶部４０に保存されている未登録番号へ発信数と閾値を比較して、発信数が閾値よりも大きいときＤＴＭＦへの変換が必要であると判断する。ＤＴＭＦへの変換を判断する際の未登録番号への発信数の検出数の基準値である閾値は、あらかじめ設定されている。変換判定部３７は、ＤＴＭＦへの変換が必要と判断すると、ダイヤルパルスからＤＴＭＦへの変換を要求するガイダンスの送信を電話機制御部３６に要求する。
【００５６】
電話網監視部３８は、ＳＩＰサーバ５０からの応答の有無を監視する機能を有する。電話網監視部３８は、電話機制御部３６が発信した電話番号に該当する電話番号が無いことを示す応答をＳＩＰサーバ５０から受け取ったとき、記憶部制御部３５を介して記憶部３２の未登録発信数記憶部４０の未登録番号への発信数の情報として保存する。電話網監視部３８は、ＳＩＰサーバ５０から該当する電話番号が無いことを示す応答を「４０４  Ｎｏｔ  Ｆｏｕｎｄ」として受信する。電話網監視部３８は、例えば、未登録番号への発信回数と、発信先の電話番号と、発信日時を関連づけて未登録発信数記憶部４０に未登録番号への発信数の情報として保存する。
【００５７】
記憶部３２は、ＨＧＷ３０で使用される設定情報等を保存する機能を有する。記憶部３２は、規格外パルス数記憶部３９と、未登録発信数記憶部４０をさらに備えている。本実施形態の規格外パルス数記憶部３９の構成と機能は、第２の実施形態の規格外パルス数記憶部１８と同様である。
【００５８】
未登録発信数記憶部４０は、電話網監視部３８が検出した未登録番号への発信数を保存している。未登録番号への発信数は、記憶部制御部３５によって未登録発信数記憶部４０に保存される。
【００５９】
ＳＩＰサーバ５０は、電話網６０に接続され、ＳＩＰを利用してＩＰ（Internet protocol）電話の管理および制御を行うサーバである。
【００６０】
本実施形態の電話システムの動作について説明する。本実施形態の電話システムにおいて、電話機２０からＨＧＷ３０に入力されるダイヤルパルスの異常を検出して、ＤＴＭＦへの切り替えを行う際の動作は、第２の実施形態と同様である。よって、以下では、ＳＩＰサーバ５０からの応答の有無を監視して、ダイヤルパルスからＤＴＭＦへの切り替えを行う際の動作についてのみ説明する。
【００６１】
図１１および図１２は、本実施形態の電話システムにおいてＳＩＰサーバ５０からの応答の有無を監視して、ダイヤルパルスからＤＴＭＦへの切り替えを行う際の動作フローについて示したシーケンス図である。通常時、電話機２０からダイヤルパルスによる信号の送信が行われているとして、以下の説明を行う。
【００６２】
利用者は、電話機２０を使用する際に受話器のオフフックを行う（ステップ２０１）。受話器がオフフックされると電話機２０に電話番号が入力され、電話機２０からＨＧＷ３０に電話番号の情報が送信される（ステップ２０２）。
【００６３】
電話機２０がオフフックされるとＨＧＷ３０の電話機制御部３６は、電話番号の検出を開始する。電話機制御部３６は、電話機インターフェース部３３を介して電話機２０から送られてくる電話番号を検出する。電話機制御部３６が電話番号を検出すると、電話網監視部３８は、通信インターフェース部３４を介して、電話網６０に接続したＳＩＰサーバ５０に電話番号を含む「ＩＮＶＩＴＥ」を送信する（ステップ２０３）。
【００６４】
ＳＩＰサーバ５０は、ＨＧＷ３０から「ＩＮＶＩＴＥ」を受け取ると、受け取った「ＩＮＶＩＴＥ」に含まれる接続先の電話番号が登録されているかを確認する。接続先の電話番号が登録されていない場合、ＳＩＰサーバ５０は、ＨＧＷ３０に「４０４  Ｎｏｔ  Ｆｏｕｎｄ」を、電話網６０を介して返信する（ステップ２０４）。
【００６５】
ＨＧＷ３０の電話機制御部３６は、通信インターフェース部３４を介してＳＩＰサーバ５０から「４０４  Ｎｏｔ  Ｆｏｕｎｄ」の信号を受け取る（ステップ２０５）。電話機制御部３６が「４０４  Ｎｏｔ  Ｆｏｕｎｄ」の信号を受け取ると、電話網監視部３８は「４０４  Ｎｏｔ  Ｆｏｕｎｄ」を受信した回数をカウントする。
【００６６】
電話網監視部３８は、「４０４  Ｎｏｔ  Ｆｏｕｎｄ」を受信した回数のデータを、記憶部制御部３５を介して未登録発信数記憶部４０に保存する。「４０４  Ｎｏｔ  Ｆｏｕｎｄ」を受信した回数のデータが未登録発信数記憶部４０に保存されると、変換判定部３７は、「４０４  Ｎｏｔ  Ｆｏｕｎｄ」を受信した回数と閾値を比較する（ステップ２０６）。
【００６７】
「４０４  Ｎｏｔ  Ｆｏｕｎｄ」を受信した回数が閾値未満のとき（ステップ２０７）、変換判定部３７は、電話機制御部３６に、未登録番号に発信したことの通信の送信を要求する。未登録番号に発信したことの通信の送信の要求を受け取ると、電話機制御部３６は、電話機インターフェース部３３を介して電話機２０に未登録番号に発信したことを通知する（ステップ２０８）。電話機制御部３６は、電話機２０に未登録番号に発信したこと示す音声データを送信することで、未登録番号に発信したことを通知する。未登録番号に発信したことを示す音声データは、記憶部３２に保存されている。
【００６８】
電話機２０は、未登録番号に発信したことを示す音声データを受け取ると、未登録番号に発信したことを示す音声データを送出する。未登録番号に発信したことを示す音声データを聞いた利用者は、電話機２０の受話器をオンフックして通信を終了する（ステップ２０９）。
【００６９】
利用者がさらに同じ番号に電話をかけ、ステップ２０１からステップ２０９の動作が、ステップ２１０からステップ２１１で複数回、繰り返されたとする。また、さらにステップ２０１からステップ２０８までの動作と同様に、ステップ２０１からステップ２１７の動作が行われ、所定の時間内に「４０４  Ｎｏｔ  Ｆｏｕｎｄ」を受信した回数が閾値以上になったとする。
【００７０】
所定の時間内に「４０４  Ｎｏｔ  Ｆｏｕｎｄ」を受信した回数が閾値以上になると（ステップＳ２１８）、変換判定部３７は、ダイヤルパルスからＤＴＭＦへの変換が必要と判断する。ＤＴＭＦへの変換が必要と判断すると、変換判定部３７は、ＤＴＭＦへの変換を要求する情報の送信命令を電話機制御部３６に送る。
【００７１】
電話機制御部３６は、ＤＴＭＦへの変換を要求する情報の送信命令を受け取ると、電話機２０にＤＴＭＦへの変換を要求する通知を送る（ステップ２１９）。電話機制御部３６は、ＤＴＭＦへの変換を要求する通知として、ＤＴＭＦへの変換を要求するガイダンスの音声データを電話機２０に送る。ＤＴＭＦへの変換を要求するガイダンスの音声データは、記憶部３２に保存されている。
【００７２】
ＤＴＭＦへの変換を要求するガイダンスの音声データが電話機２０に送られると、電話機２０からＤＴＭＦへの変換を要求するガイダンスが送出され、利用者にＤＴＭＦへの変換を要求する情報が伝達される。利用者にＤＴＭＦへの変換を要求する情報を聞いた利用者は、電話機２０をオンフック状態にする（ステップ２２０）。
【００７３】
ガイダンスを聞いた利用者は、スイッチ操作等によって、電話機２０の設定をダイヤルパルスからＤＴＭＦに変換する（ステップ２２１）。ＤＴＭＦに変換後に、利用者は、電話機２０をオフフックして電話番号をダイヤルする（ステップ２２２）。利用者が電話番号をダイヤルすると、電話機２０は、ＤＴＭＦでの動作に切り替えられているので、ＤＴＭＦに基づく信号をＨＧＷ３０に送信する（ステップ２２３）。ＨＧＷ３０は、ＤＴＭＦで送られてくる信号を基に、ＳＩＰサーバ５０に「ＩＮＶＩＴＥ」を送信して接続を確立する。ＨＧＷ３０は、ＤＴＭＦで電話機２０から送られてくる信号を基に、電話番号を正常に識別し、電話機２０とＳＩＰサーバ５０との接続を確立することができる。
【００７４】
また、変換判定部３７がＤＴＭＦへの変換が必要と判断したとき、誤発信を抑制するため、電話機制御部３６は、ダイヤルパルスの検出処理を停止するようにしてもよい。
【００７５】
本実施形態の電話システムは、第２の実施形態と同様の効果を有する。また、本実施形態の電話システムは、規格外ダイヤルパルスの検出数に加えて、ＳＩＰサーバ５０からの応答の有無を基に、ＨＧＷ３０の変換判定部３７がダイヤルパルスからＤＴＭＦへの変換の要否を判断している。そのため、規格外のダイヤルパルスが電話機２０や回線の異常と判断される数まで増えていない際に、発信を正常に行えなかった場合に、ダイヤルパルスからＤＴＭＦへの切り替えを行うことができる。そのため、本実施形態の電話システムは、信頼性がより向上する。
【００７６】
第２および第３の実施形態では、規格外パルスを１つの閾値と比較することで、ダイヤルパルスからＤＴＭＦへの変換の要否を判断しているが、閾値は複数段階であってもよい。例えば、閾値を２段階で設定し、直ちに異常と判断できない場合に、ＨＧＷから電話機２０側に警告を通知するようにしてもよい。また、第３の実施形態において閾値を２段階で設定し、直ちに異常と判断できない場合に、ＨＧＷがＳＩＰサーバ５０からの応答の有無を基に切り替えの要否を判断するようにしてもよい。そのような構成とすることで、ダイヤルパルスからＤＴＭＦへの切り替えをより適切に管理することができる。
【００７７】
第２および第３の実施形態では、ダイヤルパルスの異常を検出して、電話機２０が発信する信号をダイヤルパルスからＤＴＭＦに変換する構成について示している。そのような構成に加えて、ＤＴＭＦの信号の異常を検出して、ＤＴＭＦからダイヤルパルスに変換を行う構成を備えていてもよい。ＤＴＭＦからダイヤルパルスに変換する構成をさらに備えることで、電話機２０や回線の状態に応じて相互に切り替えを行うことができるので、信頼性がより向上する。
【００７８】
また、第２および第３の実施形態では、ガイダンスを聞いた利用者が、ダイヤルパルスからＤＴＭＦに切り替えを行う構成について示している。そのような構成に代えて、回線種別の切り替えを、制御信号を受信した際に自動で行う機能を備えた電話機を用いて、ＨＧＷから切り替えの制御信号を送信し、ダイヤルパルスからＤＴＭＦへの切り替えを行うようにしてもよい。そのような構成とすることで、より確実に回線種別を替えることができるので利用者の利便性および信頼性が向上する。
【００７９】
第３の実施形態では、ＨＧＷ３０は、電話機２０から入力される規格外パルスと、ＳＩＰサーバ５０からの応答の有無によってダイヤルパルスからＤＴＭＦへの切り替えの要否を判断している。そのような構成に代えて、ＨＧＷ３０は、ＳＩＰサーバ５０からの応答の有無によってのみダイヤルパルスからＤＴＭＦへの切り替えの要否を判断するようにしてもよい。
【００８０】
第２の実施形態および第３の実施形態では、電話網６０にＨＧＷおよび電話機２０が１組のみ備えられている例を示しているが、電話システムは、ＨＧＷおよび電話機２０を、複数組、備えていてもよい。また、１台のＨＧＷに複数の電話機２０が接続されていてもよい。
【符号の説明】
【００８１】
１    第１の通信手段
２    第２の通信手段
３    異常検知手段
４    制御手段
１０    ＨＧＷ
１１    制御部
１２    記憶部
１３    電話機インターフェース部
１４    通信インターフェース部
１５    記憶部制御部
１６    電話機制御部
１７    変換判定部
１８    規格外パルス数記憶部
２０    電話機
３０    ＨＧＷ
３１    制御部
３２    記憶部
３３    電話機インターフェース部
３４    通信インターフェース部
３５    記憶部制御部
３６    電話機制御部
３７    変換判定部
３８    電話網監視部
３９    規格外パルス数記憶部
４０    未登録発信数記憶部
５０    ＳＩＰサーバ
６０    電話網
【図１】
2018056899.tif 000003
【図２】
2018056899.tif 000004
【図３】
2018056899.tif 000005
【図４】
2018056899.tif 000006
【図５】
2018056899.tif 000007
【図６】
2018056899.tif 000008
【図７】
2018056899.tif 000009
【図８】
2018056899.tif 000010
【図９】
2018056899.tif 000011
【図１０】
2018056899.tif 000012
【図１１】
2018056899.tif 000013
【図１２】
2018056899.tif 000014